(57)【要約】【課題】過不足なく画像を表示させると共に、装置の操作性を向上させる。【解決手段】供給された画像全体のうちのセーフティエリアの画像を表示するテレビジョン受像機を制御するパーソナルコンピュータにおける、画像縮小部１５１が、画像全体に対するセーフティエリアの大きさに応じて予め設定されている縮小率を基に、グラフィカルユーザインターフェースの画像を縮小し、表示制御部１４４が、画像縮小部１５１により縮小されたグラフィカルユーザインターフェースの画像の、テレビジョン受像機への表示を制御する。本発明は、デュアルディスプレイ機能を有するパーソナルコンピュータに適用することができる。【選択図】図４
2006107009.tif 000002
【特許請求の範囲】
【請求項１】
供給された画像全体のうちの所定の表示範囲の画像を表示する第１の表示装置の表示を制御する表示制御装置において、
画像全体に対する前記表示範囲の大きさに応じて予め設定されている縮小率を基に、第１の画像を縮小する画像縮小手段と、
前記画像縮小手段により縮小された前記第１の画像の、前記第１の表示装置への表示を制御する表示制御手段と
を含むことを特徴とする表示制御装置。
【請求項２】
前記第１の画像は、グラフィカルユーザインターフェースの画像であり、
前記グラフィカルユーザインターフェースの画像以外の第２の画像を再生する再生手段をさらに含み、
前記表示制御手段は、前記第２の画像の前記第１の表示装置への表示を制御すると共に、前記第２の画像を前記第１の表示装置に表示している場合、ユーザから前記第１の画像の表示が要求されたとき、前記第１の画像を前記第２の画像に重畳して表示させるように、前記第１の画像の前記第１の表示装置への表示を制御する
ことを特徴とする請求項１に記載の表示制御装置。
【請求項３】
前記画像縮小手段は、ユーザによる設定に応じて、前記第１の画像の前記縮小率を変更する
ことを特徴とする請求項２に記載の表示制御装置。
【請求項４】
ユーザによる設定に応じて、前記第２の画像に対して前記第１の画像を重畳する位置を変更する位置変更手段をさらに含む
ことを特徴とする請求項３に記載の表示制御装置。
【請求項５】
前記表示制御手段は、前記第１の表示装置とは別の第２の表示装置への、前記縮小率および前記第２の画像に対して前記第１の画像を重畳する位置を、ユーザに設定させるための設定画像の表示をさらに制御する
ことを特徴とする請求項４に記載の表示制御装置。
【請求項６】
供給された画像全体のうちの所定の表示範囲の画像を表示する第１の表示装置の表示を制御する表示制御装置の表示制御方法において、
画像全体に対する前記表示範囲の大きさに応じて予め設定されている縮小率を基に、画像を縮小する画像縮小ステップと、
前記画像縮小ステップの処理により縮小された前記画像の、前記表示装置への表示を制御する表示制御ステップと
を含むことを特徴とする表示制御方法。
【請求項７】
供給された画像全体のうちの所定の表示範囲の画像を表示する第１の表示装置の表示を制御する表示制御装置の表示制御用のプログラムにおいて、
画像全体に対する前記表示範囲の大きさに応じて予め設定されている縮小率を基に、画像を縮小する画像縮小ステップと、
前記画像縮小ステップの処理により縮小された前記画像の、前記表示装置への表示を制御する表示制御ステップと
を含むことを特徴とするコンピュータが読み取り可能なプログラムが記録されている記録媒体。
【請求項８】
供給された画像全体のうちの所定の表示範囲の画像を表示する第１の表示装置の表示を制御する表示制御装置のコンピュータに、表示制御を行わせるプログラムにおいて、
画像全体に対する前記表示範囲の大きさに応じて予め設定されている縮小率を基に、画像を縮小する画像縮小ステップと、
前記画像縮小ステップの処理により縮小された前記画像の、前記表示装置への表示を制御する表示制御ステップと
を含むことを特徴とするプログラム。
【発明の詳細な説明】
【技術分野】
【０００１】
本発明は、表示制御装置および方法、記録媒体、並びにプログラムに関し、特に、デュアルディスプレイにおいて、ユーザがより容易に操作することができるようにした表示制御装置および方法、記録媒体、並びにプログラムに関する。
【背景技術】
【０００２】
従来、１台のパーソナルコンピュータ（以下、PCと称する）から２台または２台以上の表示装置に対してビデオ出力を行う、デュアルディスプレイ（マルチモニタ）という機能（以下、デュアルディスプレイ機能と称する）がある。
【０００３】
デュアルディスプレイ機能を用いる場合、通常、１台のPCに対して、２台のPC用のディスプレイ（モニタ）が利用される。
【０００４】
また、デュアルディスプレイ機能を用いる場合、PCに２個のビデオカード（グラフィックスボード）を設置するか、またはビデオ出力が２系統あるビデオカードを設置する必要がある。
【０００５】
デュアルディスプレイ機能のためのビデオカードに関する技術として、例えば、特許文献１には、所定のコンピュータバスを有するコンピュータに使用可能であって、２個のディスプレイチャンネルを備え、その各々のディスプレイチャンネルに接続される２個のビデオディスプレイに対して、同時にビデオ像を発生するデュアルディスプレイカードの技術（構成）が開示されている。
【特許文献１】特開平６−１７５６２７号公報
【発明の開示】
【発明が解決しようとする課題】
【０００６】
しかしながら、PCにおいてデュアルディスプレイ機能を用い、そのPCに接続される２台の表示装置の内、１台をPC用のディスプレイとし、１台をCRT（Cathode Ray Tube）などのテレビジョン受像機（以下、TV受像機と称する）とする場合に、PC用のディスプレイおよびTV受像機に同じ画像を出力させても、同じ画像が、PC用のディスプレイおよびTV受像機の画面上に表示されることはない。
【０００７】
PC用のディスプレイは、PCから供給された画像全体を表示するが、TV受像機は、PCから供給された画像全体のうち、画像の中心を中心とする領域であって、供給された画像全体のうちの所定の領域の画像を表示し、PCから供給された画像のうちの上下左右の縁の近傍の領域の画像を表示しない。すなわち、PC用のディスプレイの画面に表示される画像の上下左右の端の部分の画像が、TV受像機の画面には表示されない。
【０００８】
これは、TV受像機には、セーフティエリア（安全フレーム、テレフレ、またはセーフティゾーンとも称される）内の画像（映像）が表示されるオーバースキャン方式が適用されており、PC用のディスプレイには、画像全体が表示されるアンダースキャン方式が適用されているためである。
【０００９】
このとき、所定のアプリケーションプログラムの実行によって表示される画像において、その画像の上下左右の端の近傍にアイコンなどのグラフィカルユーザインターフェース（以下、GUIと称する）に用いる画像が配置されている場合、TV受像機の画面上では、上下左右の端（周囲）の画像が表示されないため、ユーザは、そのGUIの全ての機能をTV受像機の画面上で利用することができない。
【００１０】
したがって、ユーザによる、TV受像機の画面上でのアプリケーションプログラムの利用やGUIを用いた操作に支障がでてしまうという課題があった。
【００１１】
本発明は、このような状況に鑑みてなされたものであり、過不足なく画像全体を表示させると共に、装置の操作性を向上させることができるようにするものである。
【課題を解決するための手段】
【００１２】
本発明の表示制御装置は、画像全体に対する表示範囲の大きさに応じて予め設定されている縮小率を基に、第１の画像を縮小する画像縮小手段と、画像縮小手段により縮小された第１の画像の、第１の表示装置への表示を制御する表示制御手段とを含むことを特徴とする。
【００１３】
第１の画像は、グラフィカルユーザインターフェースの画像であり、グラフィカルユーザインターフェースの画像以外の第２の画像を再生する再生手段をさらに含み、表示制御手段は、第２の画像の第１の表示装置への表示を制御すると共に、第２の画像を第１の表示装置に表示している場合、ユーザから第１の画像の表示が要求されたとき、第１の画像を第２の画像に重畳して表示させるように、第１の画像の第１の表示装置への表示を制御するようにすることができる。
【００１４】
画像縮小手段は、ユーザによる設定に応じて、第１の画像の縮小率を変更するようにすることができる。
【００１５】
表示制御装置は、ユーザによる設定に応じて、第２の画像に対して第１の画像を重畳する位置を変更する位置変更手段をさらに設けることができる。
【００１６】
表示制御手段は、第１の表示装置とは別の第２の表示装置への、縮小率および第２の画像に対して第１の画像を重畳する位置を、ユーザに設定させるための設定画像の表示をさらに制御するようにすることができる。
【００１７】
本発明の表示制御方法は、画像全体に対する表示範囲の大きさに応じて予め設定されている縮小率を基に、画像を縮小する画像縮小ステップと、画像縮小ステップの処理により縮小された画像の、表示装置への表示を制御する表示制御ステップとを含むことを特徴とする。
【００１８】
本発明の記録媒体のプログラムは、画像全体に対する表示範囲の大きさに応じて予め設定されている縮小率を基に、画像を縮小する画像縮小ステップと、画像縮小ステップの処理により縮小された画像の、表示装置への表示を制御する表示制御ステップとを含むことを特徴とする。
【００１９】
本発明のプログラムは、画像全体に対する表示範囲の大きさに応じて予め設定されている縮小率を基に、画像を縮小する画像縮小ステップと、画像縮小ステップの処理により縮小された画像の、表示装置への表示を制御する表示制御ステップとをコンピュータに実行させることを特徴とする。
【００２０】
本発明においては、画像全体に対する表示範囲の大きさに応じて予め設定されている縮小率を基に、画像が縮小され、縮小された画像の、表示装置への表示が制御される。
【発明の効果】
【００２１】
本発明によれば、デュアルディスプレイ機能を利用することができる。また、本発明によれば、過不足なく画像全体を表示させると共に、装置の操作性を向上させることができる。
【発明を実施するための最良の形態】
【００２２】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２３】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２４】
請求項１に記載の表示制御装置は、供給された画像全体のうちの所定の表示範囲（例えば、図６のセーフティエリア２０２）の画像を表示する第１の表示装置（例えば、図１のTV受像機１２）の表示を制御する表示制御装置（例えば、図１のPC１）であって、画像全体に対する表示範囲の大きさに応じて予め設定されている縮小率（例えば、図１１のメニュー２７１に表示されている数値（縮小率））を基に、第１の画像（例えば、図７のGUIの画像２１１）を縮小する画像縮小手段（例えば、図４の画像縮小部１５１）と、画像縮小手段により縮小された第１の画像の、第１の表示装置への表示を制御する表示制御手段（例えば、図４の表示制御部１４４）とを含むことを特徴とする。
【００２５】
請求項２に記載の表示制御装置は、第１の画像が、グラフィカルユーザインターフェースの画像（例えば、図７のGUIの画像２１１）であり、グラフィカルユーザインターフェースの画像以外の第２の画像（例えば、図６のセーフティエリア２０２に表示されている画像）を再生する再生手段（例えば、図４のコンテンツ再生部１３２）をさらに含み、表示制御手段は、第２の画像の第１の表示装置への表示を制御すると共に、第２の画像を第１の表示装置に表示している場合、ユーザから第１の画像の表示が要求されたとき、第１の画像を第２の画像に重畳して表示させるように、第１の画像の第１の表示装置への表示を制御する（例えば、図５のステップＳ７およびステップＳ３の処理）ようにすることができる。
【００２６】
請求項３に記載の表示制御装置は、画像縮小手段が、ユーザによる設定に応じて、第１の画像の縮小率を変更する（例えば、図１０のステップＳ３３の処理）ようにすることができる。
【００２７】
請求項４に記載の表示制御装置は、ユーザによる設定に応じて、第２の画像に対して第１の画像を重畳する位置を変更する位置変更手段（例えば、図４の表示位置変更部１５２）をさらに設けることができる。
【００２８】
請求項５に記載の表示制御装置は、表示制御手段が、第１の表示装置とは別の第２の表示装置への縮小率および第２の画像に対して第１の画像を重畳する位置を、ユーザに設定させるための設定画像（例えば、図１１の設定ウィンドウ２６１）の表示をさらに制御するようにすることができる。
【００２９】
請求項６に記載の表示制御方法は、供給された画像全体のうちの所定の表示範囲（例えば、図６のセーフティエリア２０２）の画像を表示する表示装置（例えば、図１のTV受像機１２）の表示を制御する表示制御装置（例えば、図１のPC１）の表示制御方法であって、画像全体に対する表示範囲の大きさに応じて予め設定されている縮小率（例えば、図１１のメニュー２７１に表示されている数値（縮小率））を基に、画像（例えば、図７のGUIの画像２１１）を縮小する画像縮小ステップ（例えば、図５のステップＳ６の処理）と、画像縮小ステップの処理により縮小された画像の、表示装置への表示を制御する表示制御ステップ（例えば、図５のステップＳ７およびステップＳ３の処理）とを含むことを特徴とする。
【００３０】
請求項７に記載の記録媒体のプログラムは、供給された画像全体のうちの所定の表示範囲（例えば、図６のセーフティエリア２０２）の画像を表示する表示装置（例えば、図１のTV受像機１２）の表示を制御する表示制御装置（例えば、図１のPC１）の表示制御用のプログラムであって、画像全体に対する表示範囲の大きさに応じて予め設定されている縮小率（例えば、図１１のメニュー２７１に表示されている数値（縮小率））を基に、画像（例えば、図７のGUIの画像２１１）を縮小する画像縮小ステップ（例えば、図５のステップＳ６の処理）と、画像縮小ステップの処理により縮小された画像の、表示装置への表示を制御する表示制御ステップ（例えば、図５のステップＳ７およびステップＳ３の処理）とを含むことを特徴とする。
【００３１】
請求項８に記載のプログラムは、供給された画像全体のうちの所定の表示範囲（例えば、図６のセーフティエリア２０２）の画像を表示する表示装置（例えば、図１のTV受像機１２）の表示を制御する表示制御装置（例えば、図１のPC１）のコンピュータに、表示制御を行わせるプログラムであって、画像全体に対する表示範囲の大きさに応じて予め設定されている縮小率（例えば、図１１のメニュー２７１に表示されている数値（縮小率）を基に、画像（例えば、図７のGUIの画像２１１）を縮小する画像縮小ステップ（例えば、図５のステップＳ６の処理）と、画像縮小ステップの処理により縮小された画像の、表示装置への表示を制御する表示制御ステップ（例えば、図５のステップＳ７およびステップＳ３の処理）とを実行させる。
【００３２】
以下に、本発明の実施の形態について図面を参照して説明する。
【００３３】
図１は、本発明に係る表示制御装置であるPC１の一実施の形態を示すブロック図である。
【００３４】
PC１には、汎用のPC用のモニタ（ディスプレイ）（以下、PCモニタと称する）１１およびCRT，LCD（Liquid Crystal Display）、またはPDP（Plasma Display Panel）などからなるTV受像機１２が接続されている。
【００３５】
PCモニタ１１は、PC１から出力された画像を表示する。同様に、TV受像機１２は、PC１から出力された画像を表示する。
【００３６】
このとき、PC１は、同じ画像をPCモニタ１１およびTV受像機１２に出力し、表示させることができる。また、PC１は、異なる画像をPCモニタ１１およびTV受像機１２のそれぞれに出力し、表示させることができる。さらに、PC１は、PCモニタ１１の画面およびTV受像機１２の画面を１つのモニタの画面として利用することもできる。すなわち、PC１は、いわゆるディアルディスプレイ機能を有するパーソナルコンピュータである。
【００３７】
また、PC１は、主制御部２１、並びにコンテンツ記録部２２−１およびコンテンツ記録部２２−２により構成されている。主制御部２１、並びにコンテンツ記録部２２−１およびコンテンツ記録部２２−２は、ネットワーク２３を介して相互に接続されている。
【００３８】
なお、ネットワーク２３の形態は特に限定されず、例えば、イーサネット（登録商標）
等で構成することが可能である。また、ネットワーク２３は省略可能である。すなわち、主制御部２１、コンテンツ記録部２２−１、およびコンテンツ記録部２２−２のそれぞれは、ネットワーク２３を介在することなく直接通信を行ってもよい。
【００３９】
以下、コンテンツ記録部２２−１およびコンテンツ記録部２２−２を個々に区別する必要がない場合、単に、コンテンツ記録部２２と称する。
【００４０】
図１で示される例では、PC１には２台のコンテンツ記録部２２が搭載されているが、コンテンツ記録部２２の搭載数は、図１の例に限定されず任意の数でよい。同様に、主制御部２１の搭載数も任意の数でよい。
【００４１】
図２は、主制御部２１の構成の例を示すブロック図である。図２で示される主制御部２１において、CPU５１は、ROM５２に記憶されているプログラム、または記憶部６０からRAM５３にロードされたプログラムに従って各種の処理を実行する。RAM５３にはまた、CPU５１が各種の処理を実行する上において必要なデータなども適宜記憶される。
【００４２】
CPU５１，ROM５２、およびRAM５３は、バス５４を介して相互に接続されている。この
バス５４にはまた、入出力インターフェース５５も接続されている。
【００４３】
入出力インターフェース５５には、デュアルディスプレイ機能を有するビデオカード（グラフィックスボード）からなる表示制御部５６、スピーカ５７、リモートコントローラ（以下、リモコンと称する）７１からの信号である赤外線を受光する受光部５８、キーボードおよびマウスなどよりなる入力部５９、ハードディスクなどより構成される記憶部６０、並びにネットワーク２３を介しての他のブロック（図１で示される、コンテンツ記録部２２−１またはコンテンツ記録部２２−２）との通信処理を制御する通信部６１が接続されている。
【００４４】
表示制御部５６には、PCモニタ１１およびTV受像機１２が接続されている。すなわち、表示制御部５６は、PCモニタ１１用のビデオ出力端子およびTV受像機１２用のビデオ出力端子、例えば、Dsub（D subminiature）端子、DVI（Digital Visual Interface）端子、Ｓ（Separate）端子、およびＤ（Detection）端子などの２系統の出力端子を備えている。
【００４５】
なお、１個のビデオカードである表示制御部５６に、２系統の出力端子が設けられているように説明したが、デュアルディスプレイ機能を実現するために、２個のビデオカード、すなわち、２つの表示制御部５６を入出力インターフェース５５に接続し、一方の表示制御部５６にPCモニタ１１を接続し、他方の表示制御部５６にTV受像機１２を接続するようにしてもよい。
【００４６】
また、通信部６１は、ネットワーク２３とは異なる形態のネットワークとも接続可能である。
【００４７】
入出力インターフェース５５にはまた、必要に応じてドライブ６２が接続され、磁気ディスク、光ディスク、光磁気ディスク、或いは半導体メモリなどのリムーバブル記録媒体６３が適宜装着され、それらから読み出されたコンピュータプログラムやデータが、必要に応じて記憶部６０にインストールされる。
【００４８】
図３は、コンテンツ記録部２２−１の構成の例を示すブロック図である。
【００４９】
図３で示されるコンテンツ記録部２２−１（コンテンツ記録部２２）において、CPU８１は、ROM８２に記憶されているプログラムに従って各種の処理を実行する。或いは、CPU８１は、図１の主制御部２１からネットワーク２３を介して送信されてきたプログラムを、ネットワーク通信制御部８８とバス８７とを介して受信し、RAM８３にロードする。そして、CPU８１は、そのプログラムに従って各種の処理を実行することもある。RAM８３にはまた、CPU８１が各種の処理を実行する上において必要なデータなども適宜記憶される。
【００５０】
CPU８１，ROM８２、およびRAM８３は、バス８４を介して相互に接続されている。このバス８４にはまた、コンテンツ取得部８５およびHDD（Hard Disk Drive）８６が接続
されている。
【００５１】
コンテンツ取得部８５は、複数の放送局から同時間帯に放送される各放送番組（コンテンツ）のそれぞれを同時に受信（取得）できるように構成される。具体的には、例えば、図３で示される例においては、コンテンツ取得部８５は、３つの放送局のそれぞれから放送される３つの放送番組を同時に受信できるように構成されている。すなわち、コンテンツ取得部８５には、３つのチューナ１０１−１乃至チューナ１０１−３、３つのA/D（Analog to Digital）変換部１０２−１乃至A/D変換部１０２−３、および３つのエンコーダ１０３−１乃至エンコーダ１０３−３が設けられている。
【００５２】
なお、以下、３つのチューナ１０１−１乃至チューナ１０１−３のそれぞれを個々に区別する必要がないとき、単に、チューナ１０１と称する。同様に、３つのA/D変換部１０２−１乃至A/D変換部１０２−３のそれぞれを個々に区別する必要がないとき、単に、A/D変換部１０２と称する。また、３つのエンコーダ１０３−１乃至エンコーダ１０３−３のそれぞれを個々に区別する必要がないとき、単に、エンコーダ１０３と称する。
【００５３】
チューナ１０１は、図示せぬアンテナに受信された地上波または衛星波のテレビジョン放送の放送電波を復調し、その結果得られる映像信号と音声信号をA/D変換部１０２に供給する。
【００５４】
すなわち、CPU８１により指定されたチャンネルの放送電波、より正確には、そのチャンネルが割り当てられた放送局から放送された放送番組を構成する電波がアンテナに受信されると、チューナ１０１は、それを復調して、その結果得られるアナログの映像信号と音声信号をA/D変換部１０２に供給する。
【００５５】
なお、このように、放送番組は放送局から放送されるものであるが、以下、説明の簡略上、（その放送局が割り当てられている）チャンネルから放送番組が放送されるといった表現で説明していく。
【００５６】
A/D変換部１０２は、チューナ１０１から供給されたアナログの映像信号と音声信号に対してA/D変換を施し、その結果得られるデジタルの映像信号と音声信号をエンコーダ１０３に供給する。なお、以下、A/D変換部１０２から出力されるデジタル信号、すなわち、所定の放送番組を構成するデジタルの映像信号と音声信号とをまとめて、コンテンツデータと称する。
【００５７】
エンコーダ１０３は、A/D変換部１０２から供給されるコンテンツデータを、例えばMPEG（Moving Picture Experts Group）方式でエンコード（圧縮符号化）した上で、記録制御部１０４に供給する。なお、以下、エンコーダ１０３から出力されるエンコード済みのコンテンツデータを、圧縮コンテンツデータと称する。
【００５８】
記録制御部１０４は、エンコーダ１０３−１乃至エンコーダ１０３−３のそれぞれから供給される圧縮コンテンツデータのそれぞれを、ファイル形式でHDD８６に記憶させる。
【００５９】
また、HDD８６の録画単位は必ずしも１つの放送番組とはならず、正確には、１つの録画予約で特定される所定のチャンネルの放送内容となる。この放送内容には、１以上の放送番組が含まれ得る（さらに、必ずしも放送番組の全てが含まれるとは限らず、放送番組の一部分のみが含まれることもある）。従って、HDD８６に記録される１つのファイルには、所定のチャンネルから放送された１つの放送番組が含まれることもあるし、そのチャンネルから放送された２以上の放送番組が含まれることもある。
【００６０】
さらに、HDD８６には、録画された放送番組の番組情報（メタデータ）も記憶される。
【００６１】
なお、本実施の形態では、HDD８６に記憶される番組情報は、ネットワーク２３に接続される他のサーバ（図示せず）から供給されるとする。すなわち、本実施の形態においては、CPU８１が、ネットワーク２３とネットワーク通信制御部８８を介して各放送番組の番組情報を適宜取得し、HDD８６に記憶させるとする。
【００６２】
ただし、番組情報の取得方法は、本実施の形態の例に限定されず任意の方法でよい。例えば、コンテンツ取得部８５が、受信された地上波のテレビジョン放送信号の垂直ブランキング期間から番組情報を抽出したり、受信された衛星波のテレビジョン放送信号から番組情報を抽出したりするといった方法でもよい。
【００６３】
ところで、CPU８１はまたバス８７に接続されており、このバス８７にはまたネットワーク通信制御部８８が接続されている。ネットワーク通信制御部８８は、ネットワーク２３を介しての他のブロック（図１で示される例では、主制御部２１等）との通信処理を制御する。
【００６４】
なお、コンテンツ記録部２２−２もコンテンツ記録部２２−１と同様に構成されるので、コンテンツ記録部２２−２の説明は省略する。以下、必要に応じて図３をコンテンツ記録部２２−２の構成としても適宜引用する。
【００６５】
また、上述した例では、PC１に搭載されるチューナの台数は６台とされた。すなわち、コンテンツ記録部２２−１に３台のチューナ１０１−１乃至１０１−３が搭載され、コンテンツ記録部２２−１に３台のチューナ１０１−１乃至１０１−３が搭載されるとされた（そのように図示されている）。しかしながら、PC１に搭載されるチューナの台数は、上述した例に限定されず任意の台数でよい。また、チューナの搭載場所も特に限定されず、例えば、主制御部２１に任意の台数のチューナが搭載されてもよい。
【００６６】
図４は、主制御部２１のCPU５１が実行する画像調整プログラム１３１の機能の構成の例を示すブロック図である。
【００６７】
画像調整プログラム１３１は、TV受像機１２に表示される画像の大きさや表示位置などを調整する。
【００６８】
画像調整プログラム１３１は、イメージ生成部１４１、解像度調整部１４２、画像調整部１４３、および表示制御部１４４を含むように構成される。
【００６９】
コンテンツ再生部１３２は、各種のコンテンツを再生し、再生したコンテンツを画像調整プログラム１３１に供給する。例えば、コンテンツ再生部１３２は、主制御部２１の記憶部６０やコンテンツ記録部２２のHDD８６などに記録（記憶）されているコンテンツである動画像や静止画像、またはネットワーク２３および通信部６１を介して供給される動画像や静止画像であって、符号化されている動画像や静止画像を復号することにより再生する。また、コンテンツ再生部１３２は、復号し、再生した動画像や静止画像を画像調整プログラム１３１の表示制御部１４４に供給する。
【００７０】
イメージ生成部１４１は、ユーザが入力部５９を操作することにより、入力部５９から供給される信号（ユーザからの指令）に応じて、GUI（例えば、図７でGUIの画像２１１を示す）のイメージデータを生成する。また、イメージ生成部１４１は、生成したGUIのイメージデータを解像度調整部１４２に供給する。
【００７１】
解像度調整部１４２は、イメージ生成部１４１から供給されたGUIのイメージデータの解像度をTV受像機１２の画面の解像度にあわせるように調整し、調整したGUIのイメージデータを画像調整部１４３に供給する。
【００７２】
画像調整部１４３は、解像度調整部１４２から供給されたGUIのイメージデータによる画像の大きさや表示位置などを調整し、調整したGUIのイメージデータを表示制御部１４４に供給する。
【００７３】
また、画像調整部１４３は、ユーザにTV受像機１２の画面のセーフティエリアの大きさや表示位置の設定を変更させるための、図１１を参照して後述する設定ウィンドウ２６１を表示制御部１４４に供給する。
【００７４】
画像調整部１４３は、画像縮小部１５１および表示位置変更部１５２を含むように構成される。
【００７５】
画像縮小部１５１は、解像度調整部１４２から供給されたGUIのイメージデータを、TV受像機１２の画面のセーフティエリアに応じて予め設定された縮小率で縮小する。また、画像縮小部１５１は、縮小したGUIのイメージデータを表示制御部１４４に供給する。すなわち、画像縮小部１５１から出力されるイメージデータと画像縮小部１５１に入力されるイメージデータとの比率が、予め設定された縮小率と等しくなるように、GUIのイメージデータは縮小される。
【００７６】
さらに、画像縮小部１５１は、ユーザからの指示（設定）に応じて、GUIのイメージデータの縮小率を変更し、変更した縮小率に応じてGUIのイメージデータを縮小する。画像縮小部１５１は、縮小したGUIのイメージデータを表示制御部１４４に供給する。
【００７７】
表示位置変更部１５２は、ユーザからの指示に応じて、GUIの画像の表示位置の変更を示すデータを表示制御部１４４に供給する。
【００７８】
表示制御部１４４は、コンテンツ再生部１３２から供給された画像（動画像や静止画像）に、画像調整部１４３から供給されたGUIのイメージデータを重畳する。この場合、表示制御部１４４は、画像調整部１４３の表示位置変更部１５２から供給されたデータで示される、GUIの画像の表示位置にGUIのイメージデータを重畳する。
【００７９】
また、表示制御部１４４は、コンテンツ再生部１３２から供給された画像に対して、重畳した画像をTV受像機１２に供給し、表示させる。さらに、表示制御部１４４は、画像調整部１４３から供給された設定ウィンドウ２６１（図１１参照）をPCモニタ１１に供給し、表示させる。
【００８０】
次に、図５のフローチャートを参照して、画像調整プログラム１３１を実行する主制御部２１のCPU５１による、画像の表示の処理を説明する。この処理は、ユーザが入力部５９やリモコン７１を操作することによって、動画像や静止画像の再生が指示されることで開始される。
【００８１】
ステップＳ１において、コンテンツ再生部１３２は、記憶部６０やHDD８６などより、ユーザから表示（再生）を指示された画像を取得し、再生する。例えば、コンテンツ再生部１３２は、HDD８６に記録されている動画像を取得し、表示制御部１４４に供給する。
【００８２】
ステップＳ２において、イメージ生成部１４１は、入力部５９またはリモコン７１（受光部５８）から供給される信号を基に、図７を参照して後述するGUIの画像２１１のTV受像機１２の画面２０１（図６参照）への表示が要求されたか否かを判定する。
【００８３】
ステップＳ２において、GUIの画像２１１のTV受像機１２の画面２０１への表示が要求されていないと判定された場合、ステップＳ３に進み、表示制御部１４４は、ステップＳ１の処理により取得された（ユーザから表示が指示された）画像をTV受像機１２に表示させる。
【００８４】
図６は、TV受像機１２に供給される画像全体の画面２０１および画面２０１のセーフティエリア２０２を説明する図である。ここで、画面２０１とは、TV受像機１２の解像度が１９２０×１０８０ピクセルである場合、これに合わせた画像全体、すなわち、１９２０×１０８０ピクセル全体を表す。
【００８５】
図６で示される斜線部分（セーフティエリア２０２の周り）は、TV受像機１２に表示方式としてオーバースキャン方式が用いられているために、TV受像機１２において表示されない部分を示す。TV受像機１２において、画面２０１全体のうちの上下左右の端の画像部分は表示されない。
【００８６】
すなわち、TV受像機１２は、表示制御部１４４の制御の基、ステップＳ３の処理において、画面２０１のうちのセーフティエリア２０２の動画像（図６で示される例ではサッカーの試合の動画像）を表示する。
【００８７】
このとき、ステップＳ１の処理により取得され、ステップＳ３の処理により表示されるのは、動画像に限らず、静止画像であってもよい。
【００８８】
ステップＳ３の処理の後、手続きは、ステップＳ１に戻り、上述した処理が実行される。
【００８９】
ステップＳ２の処理において、GUIの画像２１１のTV受像機１２への表示が要求されていると判定された場合、ステップＳ４に進み、イメージ生成部１４１は、TV受像機１２へのGUIのイメージデータを生成する。
【００９０】
図７は、GUIの画像２１１の例を示す図である。ここで、GUIの画像２１１は、PC１において、所定のアプリケーションプログラムが実行されることで表示されるウィンドウである。
【００９１】
GUIの画像２１１の右上部の操作表示部２２１には、ユーザが入力部５９であるマウスを操作し、画面２０１に表示される図示せぬカーソルを利用して、例えば、GUIの画像２１１を閉じたり、GUIの画像２１１のサイズを変更したり、最小化したり、ヘルプ画面などを表示させたりするための複数のボタン（アイコン）が表示されている。また、GUIの画像２１１の下部には、リモコン７１による操作方法を案内するガイダンス表示２２２が表示されている。
【００９２】
また、GUIの画像２１１には、アイコン選択領域２２３が設けられている。ユーザは、ガイダンス表示２２２に従って、例えば、リモコン７１を操作することで、アイコン２３１乃至アイコン２３５を上下方向（縦方向）に移動させ、アイコン選択領域２２３に表示されているアイコンを選択することで、アイコン２３１乃至アイコン２３５のそれぞれに対応する機能（アプリケーションプログラム）を実行させることができる。
【００９３】
すなわち、例えば、ユーザによって、“テレビ・ビデオ”のアイコン２３１が選択された場合、放送中のテレビ番組の視聴、録画または録画予約、またはDVD（Digital Versatile Disk）の作成を行うアプリケーションプログラムなどが実行され、“ミュージック”のアイコン２３２が選択された場合、記憶部６０やHDD８６などに記録されている音楽を再生するアプリケーションプログラムなどが実行され、“フォト”のアイコン２３３が選択された場合、写真（静止画像データ）の取り込み、または記憶部６０やHDD８６などに記録されている画像のスライドショーの再生を行うアプリケーションプログラムなどが実行される。
【００９４】
また、例えば、ユーザによって、“パーソナルビデオ”のアイコン２３４が選択された場合、記憶部６０やHDD８６などに記録されている動画像データのファイルの再生またはDVDの作成を行うアプリケーションプログラムなどが実行され、“CD・DVD”のアイコン２３５が選択された場合、音楽CD（Compact Disc）の録音、再生、またはDVDビデオの再生を行うアプリケーションプログラムなどが実行される。
【００９５】
ステップＳ５において、解像度調整部１４２は、TV受像機１２の画面２０１の解像度を調整する。すなわち、解像度調整部１４２は、ステップＳ５の処理において、PC１に設けられ、TV受像機１２が接続されている端子を基に、TV受像機１２の解像度を認識し、ステップＳ４の処理により生成されたGUIのイメージデータの解像度をTV受像機１２の画面２０１の解像度にあわせるように調整（設定）する。
【００９６】
例えば、PC１のＤ１端子にTV受像機１２が接続されている場合、総走査線数は５２５ｉとなり、TV受像機１２の画面２０１の解像度は、総走査線数の５２５ｉに対応する有効画素数の７２０×４８０ピクセルとされ、GUIのイメージデータの解像度は、７２０×４８０ピクセルにあうように調整される。
【００９７】
また、PC１のＤ２端子にTV受像機１２が接続されている場合、総走査線数は５２５ｉまたは５２５ｐとなり、TV受像機１２の画面２０１の解像度は、総走査線数の５２５ｉに対応する有効画素数の７２０×４８０ピクセルまたは総走査線数の５２５ｐに対応する有効画素数の７２０×４８０ピクセルとされ、GUIのイメージデータの解像度は、７２０×４８０ピクセルにあうように調整される。
【００９８】
また、PC１のＤ３端子にTV受像機１２が接続されている場合、総走査線数は５２５ｉ，５２５ｐ、または１１２５ｉのいずれかとなり、TV受像機１２の画面２０１の解像度は、総走査線数の５２５ｉに対応する有効画素数の７２０×４８０ピクセル、総走査線数の５２５ｐに対応する有効画素数の７２０×４８０ピクセル、または総走査線数の１１２５ｉに対応する有効画素数の１９２０×１０８０ピクセルのいずれかとされ、GUIのイメージデータの解像度は、７２０×４８０ピクセルまたは１９２０×１０８０ピクセルのいずれかにあうように調整される。
【００９９】
さらにまた、PC１のＤ４端子にTV受像機１２が接続されている場合、総走査線数は５２５ｉ，５２５ｐ，１１２５ｉ、または７５０ｐのいずれかとなり、TV受像機１２の画面２０１の解像度は、総走査線数の５２５ｉに対応する有効画素数の７２０×４８０ピクセル、総走査線数の５２５ｐに対応する有効画素数の７２０×４８０ピクセル、総走査線数の１１２５ｉに対応する有効画素数の１９２０×１０８０ピクセル、または総走査線数の７５０ｐに対応する有効画素数の１２８０×７２０ピクセルのいずれかとされ、GUIのイメージデータの解像度は、７２０×４８０ピクセル、１９２０×１０８０ピクセル、または１２８０×７２０ピクセルのいずれかにあうように調整される。
【０１００】
なお、上述した５２５ｉおよび１１２５ｉの“ｉ”は走査方式がインターレース方式であることを表し、５２５ｐおよび７５０ｐの“ｐ”は走査方式がプログレッシブ方式であることを表している。
【０１０１】
ステップＳ６において、画像縮小部１５１は、TV受像機１２におけるイメージデータに対するセーフティエリア２０２の大きさを基に、GUIのイメージデータの大きさ（サイズ）を縮小する。すなわち、画像縮小部１５１は、ステップＳ６の処理において、GUIのイメージデータをTV受像機１２における画面２０１全体に対するセーフティエリア２０２に応じて予め設定された縮小率で縮小する。
【０１０２】
なお、セーフティエリア２０２に応じて予め設定される縮小率は、GUIの画像２１１がセーフティエリア２０２と同じ大きさまたはセーフティエリア２０２より小さくなるような縮小率に設定される。
【０１０３】
例えば、画面２０１全体に表示されるGUIの画像２１１を１００％とした場合、縮小率は、８０％とされる。
【０１０４】
ステップＳ７において、表示制御部１４４は、ステップＳ１の処理により取得された画像にステップＳ６の処理により縮小されたGUIのイメージデータを重畳する。すなわち、例えば、図８で示されるように、図６で示されるセーフティエリア２０２に表示されている動画像に、ステップＳ６の処理により縮小された図７で示されるGUIの画像２１１が重畳される。
【０１０５】
なお、図８で示されるGUIの画像２１１は、セーフティエリア２０２より小さい画像として、図示されているが、GUIの画像２１１はセーフティエリア２０２と同じ大きさの画像となるように縮小され、表示されるようにしてもよい。
【０１０６】
ステップＳ７の処理の後、手続きは、ステップＳ３に戻り、表示制御部１４４の制御の基、TV受像機１２は、ステップＳ７の処理によって重畳されたGUIのイメージデータによる画像２１１を表示する。
【０１０７】
なお、セーフティエリア２０２に応じて予め設定された縮小率で縮小されるのは、GUIの画像２１１（GUIのイメージデータ）に限らず、種々の静止画像、または動画像に適用してもよい。
【０１０８】
以上のように、PC１において実行されるアプリケーションプログラムによって生成される画像を、TV受像機１２のセーフティエリア２０２のサイズと同じサイズまたはセーフティエリア２０２より小さいサイズに縮小することで、PC１において実行されるアプリケーションプログラムによって生成される画像を、PCモニタ１１と同様に、TV受像機１２の画面２０１に過不足なく表示することができる。
【０１０９】
また、これにより、GUIの画像２１１などのように、画像の上下左右の端にアイコンなどのGUIが配置されている画像がTV受像機１２の画面２０１に表示されても、上下左右のGUIが表示されず、ユーザによる、TV受像機１２の画面２０１上でのアプリケーションプログラムの利用に支障がでることを防ぐことができる。したがって、ユーザによるPC１などの装置の操作性を向上させることができる。
【０１１０】
本発明の効果を、再度、例示すると次のようになる。
【０１１１】
図９は、GUIのイメージデータを縮小せずに、TV受像機１２の画面２０１にそのまま表示した場合のGUIの画像２１１を示す図である。
【０１１２】
図９で示されるように、TV受像機１２には、表示方式として、オーバースキャン方式が用いられているため、表示方式がアンダースキャン方式であるPCモニタ１１で表示されるように、過不足なくGUIの画像２１１全体が表示されることはなく、セーフティエリア２０２の範囲内でしかGUIの画像２１１は表示されない。すなわち、GUIの画像２１１の上下左右の端の部分の画像、例えば、操作表示部２２１やガイダンス表示２２２などが表示されなくなってしまう。
【０１１３】
このため、図９で示されるTV受像機１２の画面２０１上では、操作表示部２２１やガイダンス表示２２２を利用することができず、ユーザによるGUIの画像２１１の操作に支障をきたしてしまう。
【０１１４】
このような問題を解決するために、本発明においては、GUIの画像２１１がセーフティエリア２０２と同じサイズまたはセーフティエリア２０２より小さいサイズに縮小される。これにより、図８で示されるように、操作表示部２２１やガイダンス表示２２２が画面２０１のセーフティエリア２０２に表示されるようになり、ユーザによるGUIの画像２１１の操作に支障がでることを防ぐことができる。
【０１１５】
以上のように、本発明によれば、過不足なく画像全体を表示させると共に、装置の操作性を向上させることができる。
【０１１６】
図１０のフローチャートを参照して、画像調整プログラム１３１を実行する主制御部２１のCPU５１による、GUI（の画像２１１）の設定の処理を説明する。この処理は、ユーザが入力部５９やリモコン７１など操作し、ユーザにTV受像機１２の画面２０１のセーフティエリア２０２における、GUIの画像２１１の大きさや表示位置を設定（変更）させる設定ウィンドウ２６１（図１１参照）の表示が指示されることで開始される。
【０１１７】
ステップＳ３１において、画像調整部１４３は、表示制御部１４４を介し、GUIの画像２１１の設定ウィンドウ２６１をPCモニタ１１に表示させる。
【０１１８】
図１１は、設定ウィンドウ２６１の例を示す図である。
【０１１９】
設定ウィンドウ２６１には、TV受像機１２の画面２０１全体を１００％とした場合における、現在のGUIの画像２１１の大きさの縮小率が表示されるメニュー２７１、インクリメントボタン２７２、およびデクリメントボタン２７３が配置されている。
【０１２０】
なお、メニュー２７１の左側には、“セーフティエリア”と図示されているが、メニュー２７１に表示される数字（図１１の例では、メニュー２７１には、８０％と表示されている）は、GUIの画像２１１の縮小率を示している。
【０１２１】
また、設定ウィンドウ２６１には、GUIの画像２１１の画面２０１上の水平方向の位置を調整するためのボタン２７４およびボタン２７５が表示され、GUIの画像２１１の画面２０１上の垂直方向の位置を調整するためのボタン２７６およびボタン２７７が表示されている。
【０１２２】
さらにまた、設定ウィンドウ２６１には、OKボタン２８１、キャンセルボタン２８２、およびヘルプボタン２８３が表示されている。
【０１２３】
ステップＳ３２において、画像調整部１４３は、入力部５９から供給される信号を基に、設定ウィンドウ２６１において、GUIの画像２１１の大きさの縮小率の変更が指示されたか否かを判定する。
【０１２４】
ステップＳ３２において、設定ウィンドウ２６１において、GUIの画像２１１の大きさの縮小率の変更が指示されと判定された場合、すなわち、ユーザが入力部５９であるマウスを用いて、インクリメントボタン２７２またはデクリメントボタン２７３を操作した場合、ステップＳ３３に進み、画像縮小部１５１は、変更された（メニュー２７１に表示されている）縮小率を基に、TV受像機１２における、GUIの画像２１１の大きさを変更する。
【０１２５】
このとき、ユーザは、例えば、図８で示されるTV受像機１２の画面２０１のセーフティエリア２０２に表示されているGUIの画像２１１を見ながら、入力部５９であるマウスを用いて、PCモニタ１１の画面に表示されている設定ウィンドウ２６１を操作する。
【０１２６】
ユーザによって、PCモニタ１１に表示されている設定ウィンドウ２６１のインクリメントボタン２７２がクリック（押下）された場合、メニュー２７１に示されている数値（縮小率）が１（１％）だけインクリメントされ、TV受像機１２の画面２０１に表示されているGUIの画像２１１がインクリメントされた１％だけ増えた縮小率で縮小される。
【０１２７】
逆に、デクリメントボタン２７３がクリック（押下）された場合、メニュー２７１に表示されている数値が、１（１％）だけデクリメントされ、TV受像機１２の画面２０１に表示されているGUIの画像２１１がデクリメントされた１％だけ減少した縮小率で縮小される。
【０１２８】
換言すれば、ステップＳ３３の処理において、画像縮小部１５１および表示制御部１４４の制御の基、変更された縮小率で縮小されたGUIの画像２１１（GUIのイメージデータ）が、例えば、図５のステップＳ１の処理により取得された画像に重畳されてTV受像機１２に出力される。
【０１２９】
ステップＳ３２において、設定ウィンドウ２６１において、GUIの画像２１１の大きさの縮小率の変更が指示されていないと判定された場合、ステップＳ３３の処理はスキップされ、手続きは、ステップＳ３４に進む。
【０１３０】
ステップＳ３４において、画像調整部１４３は、設定ウィンドウ２６１において、GUIの画像２１１の水平方向の表示位置の変更が指示されたか否かを判定する。
【０１３１】
ステップＳ３４において、設定ウィンドウ２６１において、GUIの画像２１１の水平方向の表示位置の変更が指示されたと判定された場合、すなわち、ユーザによってボタン２７４またはボタン２７５が操作された場合、ステップＳ３５に進み、表示位置変更部１５２は、TV受像機１２における、GUIの画像２１１の水平方向の表示位置を変更する。
【０１３２】
このとき、ユーザは、例えば、図８で示されるTV受像機１２の画面２０１のセーフティエリア２０２に表示されているGUIの画像２１１を見ながら、入力部５９であるマウスを利用し、PCモニタ１１の画面に表示されている設定ウィンドウ２６１を操作する。
【０１３３】
ユーザによって、設定ウィンドウ２６１の“左方向に移動”と表示されたボタン２７４がクリック（押下）されることで、GUIの画像２１１は、左方向に予め設定されている長さ（画素数）だけ移動される。同様に、ユーザによって“右方向に移動”と表示されたボタン２７５がクリックされることで、GUIの画像２１１は、右方向に予め設定されている長さ（画素数）だけ移動される。
【０１３４】
具体的には、表示位置変更部１５２は、ユーザによるボタン２７４またはボタン２７５への操作に応じた、図５のステップＳ１の処理より取得された画像に対する、GUIの画像２１１を重畳する位置を示すデータを表示制御部１４４に供給する。
【０１３５】
表示制御部１４４は、表示位置変更部１５２から供給されたデータで示される、ステップＳ１の処理により取得された画像上の位置にGUIの画像２１１を重畳する。
【０１３６】
換言すれば、ステップＳ３５の処理において、表示位置変更部１５２および表示制御部１４４の制御の基、画面２０１の水平方向に表示位置が変更されたGUIの画像２１１が、例えば、図５のステップＳ１の処理により取得された画像に重畳されてTV受像機１２に出力される。
【０１３７】
ステップＳ３４において、設定ウィンドウ２６１において、GUIの画像２１１の水平方向の表示位置の変更が指示されていないと判定された場合、ステップＳ３５の処理はスキップされ、手続きは、ステップＳ３６に進む。
【０１３８】
ステップＳ３６において、画像調整部１４３は、設定ウィンドウ２６１において、GUIの画像２１１の垂直方向の表示位置の変更が指示されたか否かを判定する。
【０１３９】
ステップＳ３６において、設定ウィンドウ２６１において、GUIの画像２１１の垂直方向の表示位置の変更が指示されたと判定された場合、すなわち、ユーザによってボタン２７６またはボタン２７７が操作された場合、ステップＳ３７に進み、表示位置変更部１５２は、TV受像機１２における、GUIの画像２１１の垂直方向の表示位置を変更する。
【０１４０】
このとき、ユーザは、図８で示されるTV受像機１２の画面２０１のセーフティエリア２０２に表示されているGUIの画像２１１を見ながら、入力部５９であるマウスを利用し、PCモニタ１１の画面に表示されている設定ウィンドウ２６１を操作する。
【０１４１】
ユーザによって、設定ウィンドウ２６１の“下方向に移動”と表示されたボタン２７６がクリック（押下）されることで、GUIの画像２１１は、下方向に予め設定されている長さ（画素数）だけ移動される。同様に、ユーザによって“上方向に移動”と表示されたボタン２７７がクリックされることで、GUIの画像２１１は、上方向に予め設定されている長さ（画素数）だけ移動される。
【０１４２】
具体的には、表示位置変更部１５２は、ユーザによるボタン２７６またはボタン２７７への操作に応じた、図５のステップＳ１の処理より取得された画像に対する、GUIの画像２１１を重畳する位置を示すデータを表示制御部１４４に供給する。
【０１４３】
表示制御部１４４は、表示位置変更部１５２から供給されたデータで示される、ステップＳ１の処理により取得された画像上の位置にGUIの画像２１１を重畳する。
【０１４４】
換言すれば、ステップＳ３７の処理において、表示位置変更部１５２および表示制御部１４４の制御の基、画面２０１の垂直方向に表示位置が変更されたGUIの画像２１１が、例えば、図５のステップＳ１の処理により取得された画像に重畳されてTV受像機１２に出力される。
【０１４５】
ステップＳ３６において、設定ウィンドウ２６１において、GUIの画像２１１の垂直方向の表示位置の変更が指示されていないと判定された場合、ステップＳ３７の処理はスキップされ、手続きは、ステップＳ３８に進む。
【０１４６】
ステップＳ３８において、画像調整部１４３は、ユーザが入力部５９であるマウスを操作することにより、OKボタン２８１が押下（クリック）されたか否かを判定する。ステップＳ３８において、OKボタン２８１が押下されたと判定された場合、ステップＳ３９に進み、画像調整部１４３は、現在のGUIの画像２１１の大きさ（メニュー２７１に表示されている縮小率）および表示位置を既定値とする。
【０１４７】
なお、キャンセルボタン２８２は、GUIの画像２１１の大きさの縮小率、水平方向の調整、および垂直方向の調整を初期化するためのボタンである。ヘルプボタン２８３は、設定ウィンドウ２６１の操作方法の詳細が記載されているヘルプメニューを表示させるためのボタンである。
【０１４８】
ステップＳ３９の後、処理は終了する。
【０１４９】
ステップＳ３８において、OKボタン２８１が押下されていないと判定された場合、ステップＳ３１に戻り、上述した処理が繰り返される。
【０１５０】
なお、本発明においては、PC１（の表示制御部５６）に設けられ、PC１とTV受像機１２とが接続される端子がＤ端子であるように記載したが、これに限らず、種々の端子に適用してもよい。例えば、コンポーネント端子、HDMI（High-Definition Multimedia Interface）端子、およびDVI端子などがPC１に設けられ、PC１とTV受像機１２とが接続されるような場合においても、本発明は適用可能である。
【０１５１】
以上のように、ユーザは、TV受像機１２に表示されているGUIの画像２１１を見ながら、PC１のPCモニタ１１に表示される設定ウィンドウ２６１を操作することで、TV受像機１２に表示されているGUIの画像２１１の大きさおよび表示位置を設定（調整）することができる。
【０１５２】
すなわち、ユーザは、TV受像機１２を直接操作することなしに、PC１上でTV受像機１２の画像の表示に関する設定処理を行うことができるため、PC１から出力される画像をTV受像機１２に表示させるための設定の操作を、PC１およびTV受像機１２において、個々に行う必要がないため、ユーザによる装置の操作性が向上し、ユーザは、簡単にPC１から出力される画像をTV受像機１２に表示させるための設定の操作を行うことができる。
【０１５３】
本発明に係る表示制御装置の実施の形態は、図１に示されるPC１に限定されず、記録媒体の記録および読み出しの制御が可能な表示制御装置であれば構わない。具体的には、例えば、PDA（Personal Digital Assistants）、携帯電話機等様々な実施の形態が可能である。
【０１５４】
このように、１台のPCに２台以上の表示装置を接続し、画像を表示させるようにした場合、画像が表示される表示領域を広くまたは多くすることができる。画像全体に対する表示範囲の大きさに応じて予め設定されている縮小率を基に、画像を縮小し、縮小された画像の、表示装置への表示を制御するようにした場合には、セーフティエリアを有するTV受像機の画面上で過不足のない画像を表示させることができる。
【０１５５】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または各種のプログラムをインストールすることで、各種の機能を実行することが可能な、例えば汎用のパーソナルコンピュータなどに、記録媒体からインストールされる。
【０１５６】
この記録媒体は、図２で示されるリムーバブル記録媒体６３のように、コンピュータとは別に、ユーザにプログラムを提供するために配布される、プログラムが記録されている磁気ディスク（フレキシブルディスクを含む）、光ディスク（CD-ROM（Compact Disk Read-Only Memory），DVD（Digital Versatile Disc）を含む）、光磁気ディスク（MD（Mini Disc）（商標）を含む）、若しくは半導体メモリなどよりなるパッケージメディアにより構成されるだけでなく、コンピュータに予め組み込まれた状態でユーザに提供される、プログラムが記録されているROM（Read Only Memory）もしくはハードディスクなどで構成される。
【０１５７】
なお、上述した一連の処理を実行させるプログラムは、必要に応じてルータ、モデムなどのインターフェースを介して、ローカルエリアネットワーク、インターネット、デジタル衛星放送といった、有線または無線の通信媒体を介してコンピュータにインストールされるようにしてもよい。
【０１５８】
また、本明細書において、記録媒体に格納されるプログラムを記述するステップは、記載された順序に沿って時系列的に行われる処理はもちろん、必ずしも時系列的に処理されなくても、並列的あるいは個別に実行される処理を含むものである。
【図面の簡単な説明】
【０１５９】
【図１】本発明に係るパーソナルコンピュータの構成の例を示すブロック図である。
【図２】図１の主制御部の構成の例を示すブロック図である。
【図３】図１のコンテンツ記録部の構成の例を示すブロック図である。
【図４】主制御部のCPUが実行する画像調整プログラムの機能の構成の例を示すブロック図である。
【図５】画像の表示の処理を説明するフローチャートである。
【図６】テレビジョン受像機の画面およびセーフティエリアを説明する図である。
【図７】グラフィカルユーザインターフェースの画像を説明する図である。
【図８】セーフティエリアを考慮した場合に、テレビジョン受像機に表示されるグラフィカルユーザインターフェースの画像を説明する図である。
【図９】セーフティエリアを考慮しない場合に、テレビジョン受像機に表示されるグラフィカルユーザインターフェースの画像を説明する図である。
【図１０】グラフィカルユーザインターフェースの設定の処理を説明するフローチャートである。
【図１１】グラフィカルユーザインターフェースの設定ウィンドウの例を説明する図である。
【符号の説明】
【０１６０】
１  パーソナルコンピュータ，  １１  パーソナルコンピュータ用のモニタ，  １２  テレビジョン受像機，  ２１  主制御部，  ２２並びに２２−１および２２−２  コンテンツ記録部，  １３１  画像調整プログラム，  １３２  コンテンツ再生部，  １４１  イメージ生成部，  １４２  解像度調整部，  １４３  画像調整部，  １５１  画像縮小部，  １５２  表示位置変更部，  １４４  表示制御部，  ２０１  画面，  ２０２  セーフティエリア，  ２１１  グラフィカルユーザインターフェースの画像，  ２６１  設定ウィンドウ
【図１】
2006107009.tif 000003
【図２】
2006107009.tif 000004
【図３】
2006107009.tif 000005
【図４】
2006107009.tif 000006
【図５】
2006107009.tif 000007
【図６】
2006107009.tif 000008
【図７】
2006107009.tif 000009
【図８】
2006107009.tif 000010
【図９】
2006107009.tif 000011
【図１０】
2006107009.tif 000012
【図１１】
2006107009.tif 000013